【手続補正書】
【提出日】平成31年1月28日(2019.1.28)
【手続補正１】
【補正対象書類名】特許請求の範囲
【補正対象項目名】全文
【補正方法】変更
【補正の内容】
【特許請求の範囲】
【請求項１】
計測されたソフトウェアによって生成されるデータを処理する方法であって、
分析システムによって、データストリームのセットを識別する情報を受信するステップであって、各データストリームは、外部システム上で実行する計測されたソフトウェアのインスタンスによって生成される、ステップと、
式の指定を受信するステップであって、前記式は前記データストリームのセットのデータ値を処理し、前記データ値の各々は前記式を評価するための複数の時間間隔のうちの時間間隔に関連付けられる、ステップと、
前記式を評価するための前記複数の時間間隔のそれぞれに対して
前記データストリームのセットの各データストリームに対して、前記データストリームに対する最大予想遅延を決定するステップであって、前記最大予想遅延は、計測されたソフトウェアの対応するインスタンスから前記分析システムへの前記データストリームのデータ値に対する前記時間間隔内の到着遅延に対する限界を表し、前記最大予想遅延は、前記時間間隔の長さより小さい、ステップと、
前記時間間隔に対するデータ値の到着について、前記データストリームのセットを監視するステップと、
前記データストリームの前記データ値が、前記データストリームに対する前記最大予想遅延以内に到着しなかった場合、データストリームを除外することによって、前記時間間隔に対する前記データストリームのセットを変更するステップと、
前記時間間隔に対する前記変更されたデータストリームのセットの前記到着したデータ値を用いて、前記式を評価するステップと、
提示のために、前記評価された式の値を送信するステップと
を含むことを特徴とする方法。
【請求項２】
前記式は、前記データストリームのセットの前記データ値を総計し、前記データ値は時間間隔に関連付けられることを特徴とする請求項１に記載の方法。
【請求項３】
前記最大予想遅延は、前記データストリームのデータ値の履歴上の到着遅延に基づいて決定されることを特徴とする請求項１に記載の方法。
【請求項４】
時間間隔に対する前記最大予想遅延は、以前の時間間隔に対する前記データストリームの前記データ値の前記到着遅延に基づいて決定されることを特徴とする請求項１に記載の方法。
【請求項５】
前記最大予想遅延は、前記データストリームの少なくとも３つの過去のデータ値の到着遅延に基づく移動総計値となるように決定されることを特徴とする請求項１に記載の方法。
【請求項６】
前記最大予想遅延は、ある率だけ増加された前記移動総計値となるように決定されることを特徴とする請求項５に記載の方法。
【請求項７】
前記最大予想遅延の後に到着するデータストリームのデータ値を、永続的データストアに記憶するステップ
をさらに含むことを特徴とする請求項１に記載の方法。
【請求項８】
前記データストリームのセット内のデータストリームは、１つの時間間隔から後続の時間間隔に動的に変化することを特徴とする請求項１に記載の方法。
【請求項９】
データストリームに対する不成功閾値を決定するステップと、
前記データストリームのデータ値が前記不成功閾値の前に到着しなかった場合、前記データストリームを不活性としてマークするステップと
をさらに含むことを特徴とする請求項１に記載の方法。
【請求項１０】
不活性とマークされたデータストリームを、１つまたは複数の後続の時間間隔に対してデータ値の到着について監視されるデータストリームの前記セットから除外するステップ
をさらに含むことを特徴とする請求項９に記載の方法。
【請求項１１】
前記データストリームに対するデータ値がその後に受信された場合、前記データストリームを活性とマークするステップと、
前記データストリームを、１つまたは複数の後続の時間間隔に対してデータ値の到着について監視されるデータストリームの前記セットに含めるステップと
をさらに含むことを特徴とする請求項９に記載の方法。
【請求項１２】
前記式の評価の結果を、時間間隔ごとに更新されるリアルタイムチャートによる提示のために構成するステップ
をさらに含むことを特徴とする請求項１に記載の方法。
【請求項１３】
計測されたソフトウェアによって生成されるデータを処理するための命令を記憶したコンピュータ可読非一時的記憶媒体であって、前記命令はプロセッサによって実行されたときに、前記プロセッサに、
分析システムによって、データストリームのセットを識別する情報を受信するステップであって、各データストリームは、外部システム上で実行する計測されたソフトウェアのインスタンスによって生成される、ステップと、
式の指定を受信するステップであって、前記式は前記データストリームのセットのデータ値を処理し、前記データ値の各々は前記式を評価するための複数の時間間隔のうちの時間間隔に関連付けられる、ステップと、
前記式を評価するための前記複数の時間間隔のそれぞれに対して
前記データストリームのセットの各データストリームに対して、前記データストリームに対する最大予想遅延を決定するステップであって、前記最大予想遅延は、計測されたソフトウェアの対応するインスタンスから前記分析システムへの前記データストリームのデータ値に対する前記時間間隔内の到着遅延に対する限界を表し、前記最大予想遅延は、前記時間間隔の長さより小さい、ステップと、
前記時間間隔に対するデータ値の到着について、前記データストリームのセットを監視するステップと、
前記データストリームの前記データ値が、前記データストリームに対する前記最大予想遅延以内に到着しなかった場合、データストリームを除外することによって、前記時間間隔に対する前記データストリームのセットを変更するステップと、
前記時間間隔に対する前記変更されたデータストリームのセットの前記到着したデータ値を用いて、前記式を評価するステップと、
提示のために、前記評価された式の値を送信するステップと
を行わせることを特徴とするコンピュータ可読非一時的記憶媒体。
【請求項１４】
前記式は、前記データストリームのセットの前記データ値を総計し、前記データ値は時間間隔に関連付けられることを特徴とする請求項１３に記載のコンピュータ可読非一時的記憶媒体。
【請求項１５】
前記最大予想遅延は、前記データストリームのデータ値の履歴上の到着遅延に基づいて決定されることを特徴とする請求項１３に記載のコンピュータ可読非一時的記憶媒体。
【請求項１６】
前記最大予想遅延は、前記データストリームの少なくとも３つの過去のデータ値の到着遅延に基づく移動総計値となるように決定されることを特徴とする請求項１３に記載のコンピュータ可読非一時的記憶媒体。
【請求項１７】
前記命令は前記プロセッサに、
データストリームに対する不成功閾値を決定するステップと、
前記データストリームのデータ値が前記不成功閾値の前に到着しなかった場合、前記データストリームを不活性としてマークするステップと
をさらに行わせることを特徴とする請求項１３に記載のコンピュータ可読非一時的記憶媒体。
【請求項１８】
前記命令は前記プロセッサに、
不活性とマークされたデータストリームを、１つまたは複数の後続の時間間隔に対してデータ値の到着について監視されるデータストリームの前記セットから除外するステップ
をさらに行わせることを特徴とする請求項１７に記載のコンピュータ可読非一時的記憶媒体。
【請求項１９】
前記命令は前記プロセッサに、
前記データストリームに対するデータ値がその後に受信された場合、前記データストリームを活性とマークするステップと、
前記データストリームを、１つまたは複数の後続の時間間隔に対してデータ値の到着について監視されるデータストリームの前記セットに含めるステップと
をさらに行わせることを特徴とする請求項１７に記載のコンピュータ可読非一時的記憶媒体。
【請求項２０】
計測されたソフトウェアによって生成されるデータを処理するためのコンピュータによって実施されるシステムであって、
コンピュータプロセッサと、
命令をその上に記憶したコンピュータ可読非一時的記憶媒体と
を備え、
前記命令はプロセッサによって実行されたときに、前記プロセッサに、
分析システムによってデータストリームのセットを識別する情報を受信するステップであって、各データストリームは、外部システム上で実行する計測されたソフトウェアのインスタンスによって生成される、ステップと、
式の指定を受信するステップであって、前記式は前記データストリームのセットのデータ値を処理し、前記データ値の各々は前記式を評価するための複数の時間間隔のうちの時間間隔に関連付けられる、ステップと、
前記式を評価するための前記複数の時間間隔のそれぞれに対して
前記データストリームのセットの各データストリームに対して、前記データストリームに対する最大予想遅延を決定するステップであって、前記最大予想遅延は、計測されたソフトウェアの対応するインスタンスから前記分析システムへの前記データストリームのデータ値に対する前記時間間隔内の到着遅延に対する限界を表し、前記最大予想遅延は、前記時間間隔の長さより小さい、ステップと、
前記時間間隔に対するデータ値の到着について、前記データストリームのセットを監視するステップと、
前記データストリームの前記データ値が、前記データストリームに対する前記最大予想遅延以内に到着しなかった場合、データストリームを除外することによって、前記時間間隔に対する前記データストリームのセットを変更するステップと、
前記時間間隔に対する前記変更されたデータストリームのセットの前記到着したデータ値を用いて、前記式を評価するステップと、
提示のために、前記評価された式の値を送信するステップと
を行わせることを特徴とするシステム。